(57)【要約】      （修正有）【課題】取り付けが容易でかつ確実に固定できる打上げ煙火用着火線を提供する。【解決手段】煙火用着火線１は、銅線を芯材２として周囲に複数の綿糸３１〜３４を撚り合わせたものに火薬４を塗布した。銅線の剛性を利用して、親コードや雷コード等の導火線にあけた穴に容易に差し込むことができる。銅線の塑性を利用して親コードや雷コード等の導火線の穴に通した後に煙火用着火線１を絡める、或いは捩ることによって確実かつ容易に導火線に固定することが可能となる。芯材２を中心にし、その周囲を複数の糸で撚ることによって湾曲、捩り等の変形にあっても芯材２と糸３１〜３４及び糸に染み込んだ火薬４が分離しない優れた応力耐性を有する。【選択図】図２
0003232864.tif 000002
【実用新案登録請求の範囲】
【請求項１】
打上げ花火の親コード及び雷コードを含む導火線への着火性を向上させるために取り付けられる煙火用着火線であって、
鉄線からなる芯材と、
前記芯材の周囲を撚り合わされた複数の糸と、を有し、
前記芯材と前記周囲に撚り合わされた複数の糸に、火薬が塗布されていることを特徴とする煙火用着火線。
【請求項２】
前記芯材は、直径が０．２５ｍｍ〜３．０ｍｍの範囲である、請求項１に記載の煙火用着火線。
【請求項３】
前記各糸の撚り数が、５０Ｔ／ｍ〜７５Ｔ／ｍの範囲であることを特徴とする煙火用着火線。
【請求項４】
前記複数の糸は、２〜４本の綿糸である、請求項１又は請求項２に記載の煙火用着火線。
【考案の詳細な説明】
【技術分野】
【０００１】
本考案は、打ち上げ花火の黒玉防止のための煙火用着火線に関する。
【背景技術】
【０００２】
打上げ花火では先ず花火を打ち上げるための発射薬を燃焼させ、続いてその炎を利用して花火玉を上空で破裂及び点火させるための親コード及び雷コードと呼ばれる導火線に着火させている。
【０００３】
特許文献１の速火線では、糸条体と、この糸条体に含浸させたバイトン含有パイロラントとを有するものが提案されており、それにより、取り扱いが容易であり、火炎伝播が速く、火炎温度が高い速火線を提供することができるものである。
【０００４】
特許文献２の速火線の製造装置は、基体糸を巻き取る糸巻と、薬液を収納した薬槽と、薬槽内の薬液中に位置し基体糸が巻き付けられるガイドローラと、上記糸巻を回転させる駆動装置とを備え、基体糸を薬槽の薬液中を通し且つガイドローラに巻き付けた後上記糸巻に巻き取るようにしたので、品質の良好な速火線を自動的にしかも安全に製造することができるというものである。
【先行技術文献】
【特許文献】
【０００５】
【特許文献１】特開２００２−６８８８１号公報
【特許文献２】特開平５−２６２５９２号公報
【考案の概要】
【考案が解決しようとする課題】
【０００６】
しかしながら、花火玉を上空で破裂及び点火させるための親コード及び雷コードと呼ばれる導火線に着火しない場合は、黒玉と呼ばれる危険な不発玉となって地上に落下してくる。
【０００７】
発射薬の燃焼によって確実に導火線に着火するために、花火玉の導火線に小さな穴をあけ、そこに引火しやすく燃焼速度の速い着火線と呼ばれる細い導火線を差し込み固定している。
【０００８】
着火線は、綿糸に火薬を染み込ませ乾燥させたものであるため比較的もろく、導火線の穴に通す際に穴の摩擦に耐え切れず、挿入先が折れるなど、穴に通しづらく、迅速確実に通すには熟練した技量が必要となる。
【０００９】
導火線の穴に通した後に、着火線を導火線に巻き付けるなどして固定しても準備から打ち上げまでの時間経過とともに綿糸の復元力によって巻き付けが緩み、打ち上げ時の重力加速度及び風圧等によって外れてしまい、導火線への不着火につながり黒玉が発生することがある。
【００１０】
本考案の目的は、取り付けが容易でかつ確実に固定できる打上げ煙火用着火線を提供することにある。
【課題を解決するための手段】
【００１１】
（１）本考案の煙火用着火線は、打上げ花火の親コード及び雷コードを含む導火線への着火性を向上させるために取り付けられる煙火用着火線であって、鉄線からなる芯材と、前記芯材の周囲を撚り合わされた複数の糸と、を有し、前記芯材と前記周囲に撚り合わされた複数の糸に、泥薬が塗布されていることを特徴とする。
【００１２】
（２）前記芯材は、直径が０．２５ｍｍ〜３．０ｍｍの範囲である。
【００１３】
（３）前記各糸の撚り数が、５０Ｔ／ｍ〜７５Ｔ／ｍの範囲である。
【００１４】
（４）前記複数の糸は、２〜４本の綿糸である。
【考案の効果】
【００１５】
本考案によれば、取り付けが容易でかつ確実に固定できる打上げ煙火用着火線を提供することができる。
【図面の簡単な説明】
【００１６】
【図１】本考案の実施形態における煙火用着火線の構造を示す図面である。
【図２】本考案の実施形態における煙火用着火線の切欠断面図である。
【図３】導火線に貫通させた煙火用着火線の図である。
【考案を実施するための形態】
【００１７】
図１は、本考案の実施形態における煙火用着火線（以下、「着火線」と称す。）の構造を示す図面であり、（ａ）は芯材に綿糸４本で撚り合わせた例、（ｂ）は芯材に綿糸で３本撚り合わせた例、（ｃ）は芯材に綿糸２本で撚り合わせた例を示す図である。
【００１８】
図１（ａ）に示すように、芯材２の周囲を４本の糸３１〜３４で撚ったものであり、（ｂ）は芯材２の周囲を３本の綿糸３１〜３３で撚ったものであり、（ｃ）は芯材２の周囲を２本の綿糸３１、３２で撚った形状である。
【００１９】
本考案の実施形態の着火線１は、打上げ花火の親コード及び雷コードを含む導火線への着火性を向上させるために取り付けられるものである。
着火線１は、鉄線からなる芯材２と、芯材２の周囲を撚り合わされた複数の糸３１〜３４と、を有する。
なお、着火線１は、芯材２と周囲の撚り合わされた複数の糸３１〜３４に、後述する火薬４が塗布されているものであるが、この点については、図２で説明する。
【００２０】
芯材２には、銅線、アルミ線等の他の金属線を用いることができる。
芯材２は、直径が例えば０．２５ｍｍ〜３．ｍｍの範囲であり、好ましくは、直径が０．２５ｍｍ〜０．３ｍｍの範囲であり、より好ましくは、０．２６ｍｍ及び０．２９ｍｍである。
【００２１】
本実施形態で用いる複数の糸３１〜３４は、綿糸に限らず、他の糸を利用することもできる。複数の糸３１〜３４の撚り合わせは、綿糸を２本以上撚り合わせるのがよく、例えば、２本、３本、４本等が考えられる。
【００２２】
各糸３１〜３４の撚り数は、５０Ｔ／ｍ〜７５Ｔ／ｍの範囲である。
ここで、Ｔ／ｍは、１メートルあたりの撚り数（Twist）を示す。
【００２３】
例えば、巻く側の糸車の回転は、１５０回／分一定で、芯糸（銅線）は０．５ｍ／分〜１９ｍ／分で、巻き糸１本につき８〜３００Ｔ／分が可能であり、各綿糸３１〜３４の撚り数は１０〜１５０Ｔ／ｍ／本となり、より好ましくは、各糸の撚り数が、５０Ｔ／ｍ以上７５Ｔ／ｍ以下である。
芯材２への綿糸３１〜３４の撚り合わせは、着火線１の製造装置により自動的に行われる。
【００２４】
図２は、本考案の実施形態における着火線の切欠断面図である。
図２（ａ）は芯材２の周囲を綿糸４本で撚り合わせたもので、右回りの２本の綿糸３２、３４と、左回り２本の綿糸３１、３３で構成した場合の例である。同図（ｂ）は、芯材２の周囲を綿糸３本で撚り合わせたもので、右回り２本の綿糸３２、３４と、左回り１本（逆も同じ）の綿糸３１で構成した場合の例である。同図（ｃ）は、芯材２の周囲を綿糸２本で撚り合わせたもので、右回り１本の綿糸３２、左回り１本の綿糸３１で構成した場合の例である。同図（ｄ）は、芯材２の周囲を綿糸２本で撚り合わせたもので、右回り２本（左回りも同様に可能である）の綿糸３２、３４で構成した場合の例である。
【００２５】
図２（ａ）〜図２（ｄ）に示すように、本実施形態の着火線１は、芯材２の周囲を複数の綿糸で撚った形状であり、芯材２と周囲の撚り合わされた複数の綿糸３１〜３４に、火薬４が塗布されている。
【００２６】
ここで、火薬４が塗布された着火線１は、直径が例えば３．０ｍｍ程度である。
火薬４には、例えば泥薬等が含まれる。泥薬は、火薬に糊剤を加えて水で練って作られる。
芯材２の周囲に複数の綿糸３１〜３４を撚り合わせた後、液状の火薬が入った槽に芯材２の周囲に複数の綿糸３１〜３４を撚り合わせたものを入れ、取り出し後、乾燥させることにより、芯材４と周囲に撚り合わされた複数の綿糸３１〜３４に、火薬４を塗布することができる。
【００２７】
着火線１の芯材２に銅線を取り入れ、その芯材２の周囲に複数の綿糸３１〜３４を撚り合わせ、火薬４が塗布されていることにより、塗布した火薬４により、撚り合わせた複数の綿糸３１〜３４を固めるという構造にすることにより、芯材を中心にし、その周囲を複数の綿糸３１〜３４で撚ることによって、湾曲、捩り等の変形にあっても芯材と糸及び糸に染み込んだ火薬が分離しない優れた応力耐性を有する。
【００２８】
図３は、導火線に貫通させた煙火用着火線の図であり、（ａ）は正面から見た図、（ｂ）は上面から見た図である。
導火線１０は、直径が例えば５．３ｍｍ程度で構成されている。
【００２９】
本実施形態の着火線１は、従来の綿糸のみのものよりも大きな剛性を持たせることができるため、親コード又は雷コード等の導火線１０にあけた穴に挿入する際の摩擦に対しても無理なく容易に差し込むことができる。
【００３０】
芯材２としての銅線の塑性を利用して親コード等の導火線１０の穴に通した後に着火線１を絡める、或いは捩ることによって、確実かつ容易に導火線１０に固定することが可能となる。これにより、従来の綿糸のみのものの様に綿糸の復元力によって固定が緩み導火線１０から外れることが無くなる。その為、固定した後に緩み防止のためテープの貼付や紐による結束が必要なくなり作業が効率性にも供するのである。
【００３１】
以上の通り、本実施形態の着火線１は、芯材２の周囲を複数の綿糸３１〜３４で撚った形状であり、芯材２と周囲の撚り合わされた複数の綿糸３１〜３４に、火薬４が塗布されているため、取り付けが容易でかつ確実に固定できる打上げ着火線１を提供することができる。
【００３２】
上記は、本考案の好ましい実施例に過ぎず、本考案の請求の範囲に従って行った同等の変更及び修正は、いずれも本考案の請求の範囲内に属する。
【符号の説明】
【００３３】
１  煙火用着火線
２  芯材
３１〜３４  綿糸
４  火薬
１０  導火線
【図１】
0003232864.tif 000003
【図２】
0003232864.tif 000004
【図３】
0003232864.tif 000005
【手続補正書】
【提出日】令和3年5月7日(2021.5.7)
【手続補正１】
【補正対象書類名】実用新案登録請求の範囲
【補正対象項目名】全文
【補正方法】変更
【補正の内容】
【実用新案登録請求の範囲】
【請求項１】
打上げ花火の親コード及び雷コードを含む導火線への着火性を向上させるために取り付けられる煙火用着火線であって、
鉄線からなる芯材と、
前記芯材の周囲を撚り合わされた複数の糸と、を有し、
前記芯材と前記周囲に撚り合わされた複数の糸に、火薬が塗布されていることを特徴とする煙火用着火線。
【請求項２】
前記芯材は、直径が０．２５ｍｍ〜３．０ｍｍの範囲である、請求項１に記載の煙火用着火線。
【請求項３】
前記各糸の撚り数が、５０Ｔ／ｍ〜７５Ｔ／ｍの範囲である、請求項１又は請求項２に記載の煙火用着火線。
【請求項４】
前記複数の糸は、２〜４本の綿糸である、請求項１から請求項３のいずれか１項に記載の煙火用着火線。